(57)【要約】【課題】本発明は、キーボード入力時にキーボード姿勢の安定性を確保できる携帯型電子機器用のカバーを提供することを目的とする。【解決手段】入力キー５４を有する入力部５２と、入力部５２からの入力により表示状態が変化する表示部５６と、入力部５２と表示部５６とを相対回動可能に連結し、入力部５２に対して表示部５６の角度を調整可能なヒンジ部５８とを有する携帯型電子機器５０を覆う携帯型電子機器用のカバー１であって、入力部５２に固定される第１カバー部２と、第１カバー部２に接続部１６を介して形成される第２カバー部４と、第２カバー部４に設置され、接続部１６に対して進退可能に設置され、表示部５６に固定されるスライド部６と、を有することを特徴とする携帯型電子機器用のカバー１を提供する。【選択図】図１
2014153832.tif 000002
【特許請求の範囲】
【請求項１】
入力キーを有する入力部と、前記入力部からの入力に基づき表示状態が変化する表示部と、前記入力部と前記表示部とを相対回動可能に連結し、前記入力部に対して前記表示部の角度を調整可能なヒンジ部とを有する携帯型電子機器を覆う携帯型電子機器用のカバーであって、
前記入力部に固定される第１カバー部と、
前記第１カバー部に接続部を介して形成される第２カバー部と、
前記第２カバー部に設置され、前記接続部に対して進退可能に設置され、前記表示部に固定されるスライド部と、
を有することを特徴とする携帯型電子機器用のカバー。
【請求項２】
前記スライド部は、前記表示部に固定される固定部と、前記第２カバー部に対して摺動する摺動部とを有することを特徴とする請求項１に記載の携帯型電子機器用のカバー。
【請求項３】
前記固定部は、平板状の前記摺動部から凸状に突出する凸部に形成され、
前記スライド部は、前記凸部の裏側の凹状の凹部により前記摺動部の摺動をガイドするガイド部を有することを特徴とする請求項２に記載の携帯型電子機器用のカバー。
【請求項４】
前記固定部は、前記接続部が延びる方向に平行な方向に沿って複数形成されることを特徴とする請求項１から請求項３のいずれか１項に記載の携帯型電子機器用のカバー。
【請求項５】
前記固定部と前記摺動部とは一体形成され、前記凸部が前記接続部の延びる方向に平行な方向に沿って複数形成されることを特徴とする請求項４に記載の携帯型電子機器用のカバー。
【請求項６】
前記接続部は、前記第１カバー部および前記第２カバー部より剛性を小さく設定されることを特徴とする請求項１から請求項５のいずれか１項に記載の携帯型電子機器用のカバー。
【請求項７】
前記固定部は、着脱可能な粘着部を前記表示部との間に介装することにより、前記表示部に対して固定されていることを特徴とする請求項１から請求項６のいずれか１項に記載の携帯型電子機器用のカバー。
【請求項８】
前記第１カバー部は、粘着部により前記入力部に対して固定されていることを特徴とする請求項１から請求項６のいずれか１項に記載の携帯型電子機器用のカバー。
【請求項９】
前記入力部は辞書検索のための検索語が入力されるときに前記入力キーが押下されることを特徴とする請求項１から請求項８のいずれか１項に記載の携帯型電子機器のカバー。
【発明の詳細な説明】
【技術分野】
【０００１】
本発明は、携帯可能な電子機器を外部から保護する携帯型電子機器用のカバーに関するものである。
【背景技術】
【０００２】
従来、携帯型の電子機器には、例えば、ノート型ＰＣ、ＰＤＡ、電子辞書などがある。これら携帯型電子機器は、持ち運び時の衝撃や傷付きから保護するため、または、保管時の防塵のため、筐体をカバーにより覆うことが知られている。例えば特許文献１には、キーボードとディスプレイとを有する電子機器を覆うカバーが開示されており、このカバーの１面にキーボードが固定され、他の１面にディスプレイが固定されている。キーボードとディスプレイとは、接続コードにより接続されている。
【先行技術文献】
【特許文献】
【０００３】
【特許文献１】特開２００４−３０４６３号公報
【発明の概要】
【発明が解決しようとする課題】
【０００４】
ところで、キーボードとディスプレイとがヒンジ部により連結され、折り畳みにより開閉可能な折り畳み型の電子機器の場合、キーボードとディスプレイとをカバーにそれぞれ固定してしまうと、ディスプレイを開きキーボード入力を行う際、ヒンジ部周囲のカバーのたるみにより、キーボードの姿勢が不安定となるおそれが生じる。
【０００５】
そこで、本発明は、このような事情を考慮し、キーボード入力時にキーボード姿勢の安定性を確保できる携帯型電子機器用のカバーを提供することを目的とする。
【課題を解決するための手段】
【０００６】
上述の目的を達成するために、本発明の携帯型電子機器用のカバーは、入力キーを有する入力部と、前記入力部からの入力により表示状態が変化する表示部と、前記入力部と前記表示部とを相対回動可能に連結し、前記入力部に対して前記表示部の角度を調整可能なヒンジ部とを有する携帯型電子機器の外装を覆う携帯型電子機器用のカバーであって、前記入力部に固定される第１カバー部と、前記第１カバー部に接続部を介して形成される第２カバー部と、前記第２カバー部に設置され、前記接続部に対して進退可能に設置され、前記表示部に固定されるスライド部と、を有することを特徴とする。
【０００７】
また、本発明の携帯型電子機器用のカバーは、前記スライド部が、前記表示部に固定される固定部と、前記第２カバー部に対して摺動する摺動部とを有することを特徴とする。
また、本発明の携帯型電子機器用のカバーは、前記固定部が、平板状の前記摺動部から凸状に突出する凸部に形成され、前記スライド部は、前記凸部の裏側の凹状の凹部により前記摺動部をガイドするガイド部を有することを特徴とする。
【０００８】
また、本発明の携帯型電子機器用のカバーは、前記固定部が、前記接続部が延びる方向に平行な方向に沿って複数形成されることを特徴とする。
また、前記接続部は、前記第１カバー部および前記第２カバー部より剛性を小さく設定されることを特徴とする。
【０００９】
また、本発明の携帯型電子機器用のカバーは、前記固定部と前記摺動部とは一体形成され、前記凸部が前記接続部の延びる方向に平行な方向に沿って複数形成されることを特徴とする。
また、本発明の携帯型電子機器用のカバーは、前記固定部が、着脱可能な粘着部を前記表示部との間に介することにより、前記表示部に対して固定されていることを特徴とする。
【００１０】
また、本発明の携帯型電子機器用のカバーは、前記第１カバー部は、粘着部により前記入力部に対して固定されていることを特徴とする。
また、本発明の携帯型電子機器用のカバーは、辞書検索のための検索語が入力されるときに前記入力キーが押下されることを特徴とする。
【発明の効果】
【００１１】
表示部であるディスプレイを開いた際に、ヒンジ部周囲に配置されるカバーの接続部付近のたるみが抑制されることで、入力部であるキーボードの姿勢の安定性が確保され、操作者によるキーボードの入力を安定して行うことができるようになる。
【図面の簡単な説明】
【００１２】
【図１】（ａ）本発明の実施形態におけるカバーの開状態を示す斜視図である。（ｂ）本発明の実施形態におけるカバーの要部分解図である。
【図２】図１の開状態のカバーに収容される携帯型電子機器の開状態を示す斜視図である。
【図３】本発明の実施形態におけるカバーの閉状態を示す斜視図である。
【図４】図３の閉状態のカバーに収容される携帯型電子機器の閉状態を示す斜視図である。
【発明を実施するための形態】
【００１３】
本発明の実施形態について図１から図４までを参照して説明する。まず、図１および図２に基づき、本実施形態のカバー１、およびカバー１に収容される携帯型電子機器の開状態について説明する。図１（ａ）は、本発明の実施形態におけるカバーの開状態を示す斜視図であり、図１（ｂ）は、本実施形態のスライド部の分解図であり、図２は、図１の開状態のカバーに収容される携帯型電子機器の開状態を示す斜視図である。なお、以下では携帯型電子機器を電子辞書５０として説明する。
【００１４】
カバー１は、電子辞書５０を収容するカバーであり、電子辞書５０を外部からの衝撃や傷付き、塵埃から保護する役割を担っている。電子辞書５０は複数の入力キー５４が形成されるキーボードが搭載される入力部５２と入力キー５４の入力結果などが表示されるディスプレイが搭載される表示部５６を有している。さらに、入力部５２と表示部５６とはヒンジ部５８を介して接続されており、表示部５６はヒンジ部５８を回転軸として入力部５２に対して相対的に回転可能に構成されている。電子辞書５０は、ヒンジ部５８を介して表示部５６が入力部５２に対して開かれた状態である開状態と、ヒンジ部５８を介して表示部５６が入力部５２に対して閉じられた状態である閉状態とをとることができる。入力部５２は、開状態において、安定した台や操作者の膝など支持台上にカバー１を介して載置されたときに、操作者が入力キー５４押下することで使用されるものである。
【００１５】
カバー１は、電子辞書５０の入力部５２の外装に取付けられる第１カバー部２と、表示部５６に取付けられる第２カバー部４と、これら第１カバー部２と第２カバー部４とを接続する接続部１６とにより構成される。カバー１が電子辞書５０に取付けられるとき、カバー１の接続部１６は電子辞書５０のヒンジ部５８に対向する。第１カバー部２、第２カバー部４、および接続部１６は一体に形成されており、布、革、合成皮革などの変形可能な材料となっている。また、第１カバー部２および第２カバー部４には、その内部に図示しない硬い板状の剛性補強部が内包されており、接続部１６にはこのような剛性補強部は内包されない構成とされている。よって、カバー１は、相対的にやわらかい接続部１６を回動軸として第１カバー部２に対して第２カバー部４が開閉可能となっている。剛性補強部は厚紙、プラスチック等により構成されている。但し、第１カバー部２および第２カバー部４には、剛性補強部が内包されなくてもよい。
【００１６】
第１カバー部２には、その中央部付近に複数の粘着部１４ａが形成されており、その粘着力により、第１カバー部２の内面と入力部５２の外面とが固定される。第２カバー部４には、スライド部６を介して複数の粘着部１４ｂが形成されており、その粘着力により、第２カバー部４の内面と表示部５６の外面とがスライド可能に固定される。
【００１７】
スライド部６は、第２カバー部４の内面に対して平行移動可能（スライド可能）に形成されており、表示部５６に粘着部１４ｂを介して固定される固定部７と、第２カバー部４の内面に対して摺動する摺動部８と、スライド部６のスライド動作をガイド補助するガイド部２０とを有している。スライド部６は、板状に形成されており、プラスチックまたは板金が形状加工されることで形成される。
【００１８】
摺動部８は、平板状に形成され、第２カバー部４の内面に形成される袋状の袋部１８に挿入されている。袋部１８は、摺動部８のスライド方向に沿って長手方向を持って形成されている。スライド部６は、摺動部８が袋部１８内に差し込まれた状態で当該長手方向に摺動することにより、第２カバー部４に対してスライド可能となっている。当該長手方向は、第１カバー部２、接続部１６、第２カバー部４が順に並ぶ方向に略平行な方向となっている。つまり、第２カバー部４を第１カバー部２に対して閉状態から開状態とするとき、スライド部６は、接続部１６に近づく向きにスライドする。逆に、第２カバー部４を第１カバー部２に対して開状態から閉状態とするとき、スライド部６は、接続部１６から遠ざかる向きにスライドする。
【００１９】
固定部７は、平板状の摺動部８から凸状に突出する凸部１０に形成されている。固定部７の凸部１０の表面には粘着部１４ｂが形成されており、粘着部１４ｂにより固定部７と第２カバー部４とが相対的に固定されている。なお、固定部７は、接続部１６が延びる方向に平行な方向に沿って複数形成されている。固定部７は、摺動部８と一体形成され、凸部１０が接続部１６の延びる方向に略平行な方向に沿って複数形成されている。
【００２０】
ガイド部２０は、表面に固定部７が形成される凸部１０の裏側の凹状の凹部１２により形成される。当該凹部１２は、スライド部６が第２カバー部４の表面形状に沿ってガイドされ移動するとき、スライド部６の摺動部８の摺動を略直線方向となるようガイドしている。
【００２１】
次に、図３および図４に基づき、本実施形態のカバー１、およびカバー１に収容される携帯型電子機器の閉状態について説明する。図３は、本発明の実施形態におけるカバーの閉状態を示す斜視図であり、図４は、図３の閉状態のカバーに収容される携帯型電子機器の閉状態を示す斜視図である。
【００２２】
第１カバー部２と第２カバー部４とは接続部１６を介して折畳まれ閉状態とされる。この閉状態においては電子辞書５０もヒンジ部５８を介して折畳まれ閉状態とされている。第１カバー部２と入力部５２とを相対固定する粘着部１４ａと、第２カバー部４のスライド部６と表示部５６とを相対固定する粘着部１４ｂとにより、カバー１と電子辞書５０とが固定されていることにより、カバー１の閉状態と電子辞書５０の閉状態とが連動して動作するようになっている。
【００２３】
次に、本発明の作用効果について、上述の実施形態を参照して説明する。まず、電子辞書５０のような軽量な携帯型電子機器の場合、その重量が軽いことから、カバー１の接続部１６のたるみにより簡単に姿勢の安定性が崩れてしまうおそれが生じる。つまり、ディスプレイを有する表示部５６を開いた状態でヒンジ部５８に対向するカバー１の接続部１６が撓みにより歪むことで、携帯型電子機器を載置台や操作者の膝などの支持台の上に置いた場合にキーボードを有する入力部２と当該支持台とにより挟まれる部分（入力部２の下方部分）のカバーが凹凸なゆがんだ状態となりやすい。このようなカバーのゆがんだ凹凸形状により、入力部２の姿勢に意図しない傾きなどが生じてしまい、操作者による入力部２の入力作業の正確性や迅速性に影響を及ぼしてしまうおそれがある。しかし、本実施形態では、カバーの入力部側（第１カバー部２）は携帯型電子機器に固定され、カバーの表示部側（第１カバー部４）が携帯型電子機器に対してスライド摺動可能に構成されている。このような本実施形態によれば、携帯型電子機器の開動作に伴う入力部の姿勢変動が抑制されるようになるので、操作者による入力部２の入力作業の正確性や迅速性を確保することができるようになる。特に、電子辞書のような軽量な携帯型電子機器の場合には、たとえ、たとえカバー１が布製や皮製であっでも、その僅かな剛性により、入力部２の姿勢が不安定となりやすいので、本実施形態による入力作業の正確性や迅速性の確保は重要な効果を奏することになる。換言すれば、本実施形態は、特に電子辞書などの軽量な携帯型電子機器のカバーに特に有効に機能する構成となっている。
【００２４】
上述の作用効果とともに、第２カバー部４は、スライド部６により表示部５６に対する固定と、表示部５６に対するスライドとを同時に達成することができる。
また、上述の作用効果とともに、固定部７の裏側（凹部１２）をスライドのガイドに利用することで、摺動の滑らかさの確保と、表示部との固定との両方を単純な構成で可能とする。換言すれば、固定部７が、カバー１と表示部５６との固定を担うだけでなく、カバー１と表示部５６との相対移動の潤滑性に寄与できる構成となっている。
【００２５】
また、上述の作用効果とともに、複数形成されるそれぞれの固定部７が、接続部１６に対して略等距離となるので、カバー１のスライドの方向が表示部の開閉方向と一致するようになる。よって、表示部５６とカバー１との固定を確実とするよう固定部７が複数形成される場合でも、スライド部６のスライドにより表示部５６の開閉動作の滑らかさが損なわれる事態を回避することができるようになる。また、固定部７がスライド部６のスライド方向に直交する方向に並んで複数（本実施形態においては２つ）配置されるので、スライド部６のスライド方向に対する傾きが抑制されやすくなり、より滑らかなスライドが可能となる。よって、接続部１６の形状変化がヒンジ部５８の角度変化に対して更に追従しやすくなり、入力部の姿勢安定性の確保を更に容易とする。
【００２６】
また、接続部１６が第１カバー部２および第２カバー部４より剛性を小さく設定されている。これは、例えば、第１カバー部２および第２カバー部４の内部に剛性の高い剛性補強部が内封されていることによる。よって、上述の作用効果とともに、電子辞書５０に固定されない接続部１６のみが柔軟に変形可能となることで、電子辞書５０の開閉動作に対するカバー１の追従性をさらに向上させる点と、電子辞書５０の入力部５２と表示部５６のカバー１に対する固定をさらに安定させる点とを両方確実に達成することができる。        
【００２７】
よって、入力部へのキー入力をより安定的に行うことができる。なお、このような剛性補強部の重さにより、第１カバー部２がより安定することとなり、第１カバー部２に固定される入力部の姿勢安定性が更に向上することとなる。
【００２８】
また、上述の作用効果とともに、スライド部６を単純な構成とすることで、複雑な構成に伴うスライド部６の劣化等を抑制することができる。これは、例えば、スライド部６が一枚の板材の曲げ加工等されることで固定部７、摺動部８、凸部１０、凹部１２が形成されていることによる。つまり、表示部５６の開閉が頻繁に行われたとしても、スライド部６が劣化等しにくいので、長期に亘って、入力部５２の入力キー５４入力の迅速性を確保することができるようになる。
【００２９】
また、上述の作用効果とともに、粘着部１４ａ、１４ｂにより携帯型電子機器に対してカバー１を脱着可能とすることにより、カバー１を複数の携帯型電子機器に共通に使用することができるようになる。
【００３０】
なお、上述の実施形態においては、固定部７を２つ形成した例を説明したが、これに限定されることなく、例えば、３つ以上形成することもできる。これにより、更にスライド部６の傾きが抑制されやすくなり、より滑らかなスライドが可能となる。よって、接続部１６の形状変化がヒンジ部５８の角度変化に対して更に追従しやすくなる。
【００３１】
また、上述の実施形態においては、粘着部１４ａ、１４ｂによりカバー１と電子辞書５０とを固定する形態について説明したが、これに限定されることなく、例えば、ネジで固定することもできる。その場合、電子辞書５０の入力部５２の外装にネジ孔を穿け、第１カバー部２を貫通するように外部からネジを取り付ける、および／または、表示部５６の外装にネジ孔を穿け、スライド部６を貫通するように外部からネジを取り付けることができる。これにより、強固な固定が可能となり、スライド部６のより安定したスライドが可能となる。
【００３２】
また、上述の実施形態においては、携帯型電子機器を電子辞書５０として説明したが、これに限定されることなく、携帯型電子機器は、例えば、ノート型ＰＣ、ＰＤＡ、タブレット機器、携帯電話とすることができる。
【符号の説明】
【００３３】
１  カバー（携帯型電子機器用のカバー）
２  第１カバー部
４  第２カバー部
６  スライド部
７  固定部
８  摺動部
１０  凸部
１２  凹部
１４ａ、１４ｂ  粘着部
１６  接続部
１８  袋部
２０  ガイド部
５０  電子辞書（携帯型電子機器）
５２  入力部
５４  入力キー、キーボード
５６  表示部
５８  ヒンジ部
【図１】
2014153832.tif 000003
【図２】
2014153832.tif 000004
【図３】
2014153832.tif 000005
【図４】
2014153832.tif 000006